(57)【要約】  【課題】病院の大部屋を準個室化する間仕切装置において、部屋の大きさや形状の違いへの融通性を高め、かつ、使い勝手も良くする。  【手段】仕切られた２つのスペースに露出した一対の机天板５と、一対の机天板５の上方の空間を仕切る上部仕切壁部２と、上部仕切壁部２の端面に固定されたサイドパネル３及びロッカー４と、机天板５の下方に配置したキャビネット７及び着座部用囲い枠１６とを備えている。上部仕切壁部２の下部には着脱式のフロントパネル２ｂで囲われた上部配線空間２０が形成され、着座部用囲い枠１６の奥部には着脱式アンダーパネル２８で覆われた下部配線空間が形成されている。間仕切装置１は机機能と収納機能と配線機能とを兼備しており、使い勝手が良い。【選択図】    図１
2005218701.tif 000002
【特許請求の範囲】
【請求項１】
室の空間を２つのスペースに仕切る間仕切装置であって、
前記２つのスペースを仕切る方向に延びる平面視長方形の前後一対の机天板と、前後机天板の上方の空間を前後に仕切るように配置された上部仕切壁部と、机天板及び上部仕切壁部の左右端面に重なるように配置された左右一対のエンド体と、机天板の下方において２つのスペースを区画する下部遮蔽手段とを備えており、
左右エンド体と上部仕切壁部と机天板とで囲われた半開放状空間が背中合わせに形成されている、
間仕切装置。
【請求項２】
前記左右のエンド体はともに仕切壁部と同じ高さであって、一方のエンド体はサイドパネルであって他方のエンド体はロッカー等の縦長収納家具であり、更に、前後両机天板の下方には、固定式のキャビネットを、当該キャビネットといずれか一方のエンド体との間に着座した人が足を入れることのできる着座用空間が空くようにして配置しており、前後の着座用空間を板材で遮蔽し、この板材とキャビネットとが前記下部遮蔽手段を構成している、
背求項１に記載した間仕切装置。
【請求項３】
前記上部仕切壁部のうちその下部は、間隔を空けて配置された着脱自在又は開閉自在な前後一対のフロントパネルで構成されており、この前後フロントパネルで囲われた空間を上部配線空間と成しており、かつ、フロントパネルには電源コンセントや通信線用接続口のようなコネクタを設けている一方、
前後一対の着座用空間で挟まれた部位には、着脱自在又は開閉自在なアンダーパネルで覆われた下部配線空間が形成されており、机天板には、上部配線空間と下部配線空間とに連通する配線穴を開口している、
請求項２に記載した間仕切装置。
【請求項４】
前記間仕切装置を挟んだ両側に、ベッドを、平面視で間仕切装置と略平行に延びるように配置している、
医療・療養施設における大部屋の準個室化システム。
【発明の詳細な説明】
【技術分野】
【０００１】
本発明は、医療・療養施設において大部屋を準個室化するのに好適な間仕切装置、及び医療・療養施設で間仕切装置を使用して行う空間の準個室化システムに関するものである。
【背景技術】
【０００２】
病院や老人ホームの大部屋は、従来、複数のベッドを単に並べただけ、或いは隣合ったベッドの間をカーテンで仕切っただけの簡素な使用形態が多かったが、近年、厚生労働省の指導もあって、入院患者一人当たりの占有面積を増やすと共に患者のプライバシーをできるだけ確保する方策が成されている。そこで、大部屋を間仕切装置で仕切ることによって準個室化することが提案・実用化されている。
【０００３】
その例として、特許文献１には、平面視Ｔ形でかつ出入り口を備えた門型の三方枠を使用することにより、壁を挟んで２つの居住空間を隣り合わせに構成することが記載されている。
【０００４】
また、特許文献２には、間仕切パネルと収納家具とを組み合わせた間仕切装置が開示されている。更に、特許文献３には、衝立式の間仕切装置をベッドとベッドとの間に配置することが記載されている。
【特許文献１】特許第２８２５１９５号公報
【特許文献２】特開平１１−２１６０３２号公報
【特許文献３】特開２００２−３８６３８号公報
【発明の開示】
【発明が解決しようとする課題】
【０００５】
大部屋を準個室化された複数のスペースに仕切る場合、スペースの効率的な利用やコストの抑制といったことが要請されている。例えば大部屋といってもその平面形状や広さは一様ではないから、間仕切装置もできるだけ融通が利くべきである。また、適度のプライバシー保護が必要である一方で、回診・検診等の便宜や緊急時の対応のために適度の開放性も必要である。
【０００６】
更に、入院患者の立場に立つと、読書をしたり筆記作業を行ったりといった机機能を病室に欲しいとい要求が強い。特に、近年のパソコンの普及に伴い、パソコンで各種の作業をしたり家族や友人とメールを交換しあったりできるようにしたいとの要求は強いと言える。
【０００７】
しかして、特許文献１は、一つの間仕切装置でスペースを所定の面積の２室に仕切るものであり、従って、例えばスペースを３つの準個室に仕切るといったことはできず、このため融通性に欠けていた。また、机機能は備えていないため、例えばパソコンを使用したり筆記作業を行えるようにするにはサイドテーブルを別に購入して設置しなければならないため不便であった。
【０００８】
他方、特許文献２の構成は構造が単純であるため、室の広さや形状に応じて仕切り形態を変えることが可能であり、特許文献１に比べて融通性は高いと言え、かつ、引き出し式き補助テーブル付きの収納家具を取り付けできるため、筆記やパソコン操作の便宜性もある程度は備えていると言える。
【０００９】
しかし、隣合ったベッドの間の空間は単なる壁パネルで仕切るに過ぎないため、オープンすぎるきらいがある。また、机機能は備えていて筆記やパソコン操作が可能と言えるものの、補助天板は引き出し式で面積が小さいと共にガタ付きがあるため、手狭で使い勝手が悪いことは否めない。
【００１０】
更に、特許文献３は単なる衝立機能しか持たないため、準個室化の程度は低くて、プライバシーの保護は不十分である。また、自立安定性が高くないという問題も懸念される。
【００１１】
本願発明は、このような現状を改善することを課題とするものである。
【課題を解決するための手段】
【００１２】
請求項１の発明では、室の空間を２つのスペースに仕切る間仕切装置を、前記２つのスペースを仕切る方向に延びる平面視長方形の前後一対の机天板と、前後机天板の上方の空間を前後に仕切るように配置された上部仕切壁部と、机天板及び上部仕切壁部の左右端面に重なるように配置された左右一対のエンド体と、机天板の下方において２つのスペースを区画する下部遮蔽手段とを備えた構成としており、左右エンド体と上部仕切壁部と机天板とで囲われた半開放状空間が背中合わせに形成されている。
【００１３】
請求項２の発明では、請求項１において、前記左右のエンド体はともに仕切壁部と同じ高さであって、一方のエンド体はサイドパネルであって他方のエンド体はロッカー等の縦長収納家具であり、更に、前後両机天板の下方には、固定式のキャビネットを、当該キャビネットといずれか一方のエンド体との間に着座した人が足を入れることのできる着座用空間が空くようにして配置しており、前後の着座用空間を板材で遮蔽し、この板材とキャビネットとが前記下部遮蔽手段を構成している。
【００１４】
請求項３の発明では、請求項２において、前記上部仕切壁部のうちその下部は、間隔を空けて配置された着脱自在又は開閉自在な前後一対のフロントパネルで構成されており、この前後フロントパネルで囲われた空間を上部配線空間と成しており、かつ、フロントパネルには電源コンセントや通信線用接続口のようなコネクタを設けている一方、前後一対の着座用空間で挟まれた部位には、着脱自在又は開閉自在なアンダーパネルで覆われた下部配線空間が形成されており、机天板には、上部配線空間と下部配線空間とに連通する配線穴を開口している。
【００１５】
請求項４の発明は医療・療養施設における大部屋の準個室化システムに係るもので、前記間仕切装置を挟んだ両側に、ベッドを、平面視で間仕切装置と略平行に延びるように配置している。
【発明の効果】
【００１６】
本願発明によると、間仕切装置にはこれで仕切った２つのスペースに露出する机天板があるため、間仕切装置で仕切られた２つのスペースで机天板を独自に使用できる。そして、机天板は固定式でかつ左右エンド体の間に長く延びているため、ガタ付きなく使用できると共に広々としていて使い勝手が良い。更に、上部仕切壁部と左右エンド体とが平面視Ｈ形となっているため自立安定性に優れている。
【００１７】
また、本願発明の間仕切装置はその表裏両側から机天板を使用できる対称構造であるため、１つの間仕切装置を設置して空間を２つの個室状スペースに仕切ったり、２つの間仕切装置を平行に配置して空間を３つのスペースに仕切ったりと言うように室の広さや形状に応じて仕切り態様を選択することができ、また、複数の間仕切装置を設置するにおいてその間隔を変えることも簡単である。このため融通性が高い。
【００１８】
請求項２のように構成すると、縦長の収納家具とキャビネットとに多くの物品を収納できるため周囲をすっきりとさせることができ、かつ、縦長収納家具及びキャビネットはある程度の重量があるため、自立安定性を一層高めることができる。また、机天板の下方には着座用空間が空いているため、椅子に腰掛けて机天板を使用することができると共に、不使用時には椅子は着座用空間の内部に収納しておくことができ、このため使い勝手が一層良い。
【００１９】
請求項３のように構成すると、机上から立ち上がるフロントパネルにコネクタ類を設けているため、机上でパソコンや湯沸かしポット、照明スタンドのような電気製品を使用するにおいてケーブル類を散乱しない状態に美麗に処理できるため、美観が優れていると共に人がケーブルに躓くようなことも防止できる。また、フロントパネル及びアンダーパネルとも着脱自在又は開閉自在であるため、配線作業も簡単に行うことができる。
【００２０】
本願発明の間仕切装置は色々な使い方ができるが、請求項４のように医療・療養施設で空間を準個室化することに使用すると好適である。
【発明を実施するための最良の形態】
【００２１】
次に、本発明の実施形態を図面に基づいて説明する。
【００２２】
(1).第１実施形態（図１〜図８）
図１〜図８では第１実施形態を示している。本実施形態は病院の大部屋を準個室化するための間仕切装置に適用しており、図１は斜視図、図２は使用状態の平面図である。
【００２３】
間仕切装置１は、一般成人の身長程度かそれよりやや高い高さの上部仕切壁部２と、上部仕切壁部２の一端面に固定されたサイドパネル３と、上部仕切壁部２の他端面に固定されたロッカー４とを備えている。サイドパネル３とロッカー４とは請求項に記載したエンド体の一例であり、サイドパネル３及びロッカー４と上部仕切壁部２とは平面視でＨ字状の姿勢になっている。このため、上部仕切壁部２の表裏両側には、上方及び手前側に開口した半開放状空間が形成される。
【００２４】
そして、上部仕切壁部２とサイドパネル３とロッカー４とで囲われた前後の空間に机天板５をそれぞれ配置し、また、机天板５の下方には、人が椅子に腰掛けて足を入れ得る間口寸法の着座用空間６を空けた状態でキャビネット７を固定的に配置している。
【００２５】
ロッカー４は回動式扉８を備えており、また、キャビネット７は引き出し９を備えているが、両者ともオープン方式にするなど、その形態は自由に選択できる。ロッカー４に代えて棚を配置しても良い。
【００２６】
上部仕切壁部２とサイドパネル３とロッカー４とは同じ高さに設定されており（異なる高さでも良い）、かつ、上部仕切壁部２と対向した正面方向から見て、上部仕切壁部２の間口寸法（幅寸法）Ｗ１よりもサイドパネル３とロッカー４との奥行き寸法Ｗ２は遙かに小さい。
【００２７】
図２に示すように、間仕切装置１を大部屋に設置して空間を２つの個室状スペース（居室）に仕切り、各スペースに、平面視で間仕切装置１と平行な姿勢でベッド１０を設置している。
【００２８】
従って、間仕切装置１の大きさもベッド１０を基準にして概ね規定されるもので、具体的には、Ｗ１は１５００〜１６００ｍｍ程度、Ｗ２は７００〜９００ｍｍ程度、Ｗ３は５００〜６００程度が好ましいといえる。間仕切装置１の間口方向の全長は２０００〜２２００ｍｍ程度が好適と言える。仕切り機能と照明とのバランスや圧迫感の回避といった点から、既述のとおり、間仕切装置１の高さは一般成人男性の身長と同じ程度かそれよりやや高い程度（具体的に１７００〜１８００ｍｍ程度）が好ましいと言える。
【００２９】
なお、図２において符号１１は室の通路を、符号１２はカーテンを、符号１３はサイドテーブルを示している。
【００３０】
図２では、間仕切装置１で仕切り形成された２つのスペースを組み立て式の囲い壁１４で三方から囲っている。もちろん、この囲い壁１４は必須のものではなく、本願発明の間仕切装置１だけで空間を仕切ることも可能である。
【００３１】
次に、図３以下の図面も参照して間仕切装置１の具体的な構造を説明する。図３は正面図、図４は分離正面図、図５は図３のＶ−Ｖ視断面図、図６は図３のVI−VI視断面図、図７は図３の VII-VII視断面図、図８のうち（Ａ）は図３の VIIIA-VIIIA視断面図、（Ｂ）は（Ａ）のＢ−Ｂ視断面図である。なお、間仕切装置１は対称構造であり、正面図と背面図との区別は特に必要ない。
【００３２】
特に図４から理解できるように、間仕切装置１はユニットの組み合わせ方式になっており、上部仕切壁部２、ロッカー４、キャビネット７、着座用空間に配置した着座部用囲い枠１６は独立した形態になっている。本実施形態では、キャビネット７と着座部用囲い枠１６とで下部遮蔽手段が構成されている。
【００３３】
ロッカー４とキャビネット７と着座部用囲い枠１６は表裏一対あり、表裏ユニットを背中合わせ状にして固定されている。このように各構成要素をユニット構造にすることにより、組み立て作業を能率良く行え、かつ、強度にも優れている。
【００３４】
もちろん、ユニット方式にせずに個々のパーツを組み立てることも可能である。また、ユニット方式にする場合、ロッカー４及びキャビネット７は表裏別々に構成せずに全体を一体の方式に構成する（すなわち背板や天板や側板や底板を共用する）ことも可能である。
【００３５】
なお、本実施形態では、机天板５を基準にして述べると、上部仕切壁部２は上部仕切部と、キャビネット７と着座部用囲い枠１６とは下部遮蔽手段として把握することができ、キャビネット７及び着座部用囲い枠１６も空間の仕切り機能を併有している。
【００３６】
上部仕切壁部２は１枚の固定壁部２ａとその下方に配置した前後２枚のフロントパネル２ｂとから成っており、固定壁部２ａは、縦横の桟からなる格子状のフレーム１７にプレート１８を装着した障子状の形態を成している。図６に示すように、固定壁部２ａの左右両端部はサイドパネル３及びロッカー４の側面に形成した縦溝１９に嵌め込まれており、かつ、図示しないビスでサイドパネル３及びロッカー４に固定されている。
【００３７】
プレート１７は半透明アクリル板や合板、カラー合板など好みに応じて選択することができる。ピンナップ性を備えたインシュレーターボードを部分的に配置するなどしても良い。固定壁部２ａはフレーム１７を備えていない１枚板構造にするなど、様々の形態・構造を採用できる。
【００３８】
表裏のフロントパネル２ｂの間には上部配線空間２０が空いている。表裏フロントパネル２ｂには、電源用コンセントや通信線用接続口のようなコネクタ２１が装着されており、コネクタ２１にプラグ類・ジャック類を外側から接続することができる。フロントパネル２ｂは、例えばその上端に設けた係止片（図示せず）を固定壁部２ａの下端に設けた受け部（図示せず）に係脱させることにより、着脱することができる（ねじ止めでも良い）。図７に示す符号２２はスペーサである。
【００３９】
図５に簡単に示すように、表裏のロッカー４の相互間、ロッカー４とキャビネット７との相互間、表裏キャビネット７の相互間、キャビネット７と着座部用囲い枠１６の相互間、表裏着座部用囲い枠１６の相互間、着座部用囲い枠１６とサイドパネル３との相互間はそれぞれビス２３で締結されている。また、図７及び図８に示すように、キャビネット７及び着座部用囲い枠１６と机天板５ともビス２３で固定されている。
【００４０】
図１や図７に示すように、キャビネット７及びロッカー４の底板と床面との間には空間が空いており、キャビネット７の下端部とロッカー４の下端部との前面には１枚の巾木２４を着脱自在に装着している。そして、巾木２４を取り外すことにより、ロッカー４の及びキャビネット７の下方にケーブル類２５を這わせることができる。ロッカー４及びキャビネット７の側板に配線通路２６を切欠き形成しても良い。
【００４１】
図８に示すように、着座部用囲い枠１６における左右側板１６ａの後部にそれぞれ上下長手のスペーサ材２７を固定し、このスペーサ材２７にアンダーパネル２８をねじ止め等によって着脱可能に取り付けることにより、着座部用囲い枠１６の奥部に下部配線空間２９を形成している。
【００４２】
スペーサ材２７には電源用のメインコンセント３０を取り付けている。また、キャビネット７の側板と着座部用囲い枠１６の側板１６ａとの下部には配線用の切欠き３１を形成している。
【００４３】
表裏着座部用囲い枠１６の背板と机天板５とには、上部配線空間２０と下部配線空間２９とを連通させるための配線穴３２を空けている。従って、電源線や通信線のようなケーブル類は、ロッカー４及びキャビネット７の下方で床に這わせてから下部配線空間に引き込み、ここから配線穴３２及び上部配線空間２０を介してフロントパネル２ｂのコネクタ２１に接続できる。
【００４４】
このため、ケーブル類２５が外部に散乱・露出することはなくて、すっきりした状態に処理することができる。着座部用囲い枠１６の背板１６ｂに形成した配線穴３２は固定式の蓋板３３で覆われている。
【００４５】
本実施形態では、図７に示すように机天板５は１枚板を使用してこれを表裏の居室で兼用するようになっている（１枚板を使用すると強度に優れる利点がある）。もちろん、前後の机天板５をそれぞれ別々の板材で構成しても良い。この場合は、前後机天板５の背面間に空間を空けて、配線穴が机天板５の全長にわたって延びるように形成することも可能である。
【００４６】
なお、フロントパネル２ｂの上端縁又は下端縁にケーブルを挿通できる切欠き穴を形成しておくと、机上で使用する電気機器の電源線は、切欠き穴を介して上部配線空間２０及び下部配線空間３２に引き込んてメインコンセント３０に接続することができる。また、フロントパネル２ｂ及びアンダーパネル２８は着脱自在であるため配線作業も簡単に行うことができる。
【００４７】
本実施形態のように、表裏の着座部用囲い枠１６の背板１６ｂを重ね合わせると、表裏両側のアンダーパネル２８を外して配線作業を行うに際して互いに顔を見合わせることはないためプライバシー保護に優れており、また、メンインコンセント３０は表裏の下部配線空間に存在していていそれぞれの居室の専用になっているため、誤って他人の使用しているコンセントを抜いてしまうような不具合を防止できる。
【００４８】
なお、本実施形態のようにロッカー４をベッド１０に向けて開口する形態にすると、扉９を空け易くて使い易い利点がある。
【００４９】
(2).他の実施形態
図９及び図１０では他の実施形態を示している。このうち図９に示す第２実施形態では、表裏のロッカー４とキャビネット７と着座部用囲い枠１６とは、それぞれ背板４ａ，７ａ，１６ｂを共用して１つのユニットになっており、従って、下部配線空間２９は着座部用囲い枠１６における１枚の背板１６ｂを挟んで形成されている。このように構成すると部材点数を抑制することができる。
【００５０】
図１０に示す第３実施形態では、間仕切装置１に一つの下部配線空間２９を形成して、これを表裏両側から着脱式アンダーパネル２８で塞いでいる。このように構成すると構造が簡単になる利点である。
【００５１】
また、図１０ではロッカー４やキャビネット７や着座部用囲い枠１６ははアジャスターボルト３４で床から浮かした状態に支持しており、このため、それらユニットの側板に切欠きを形成しなくてもケーブル２４を床に這わせることができる。
【００５２】
(3).その他
本願発明は上記の実施形態の他にも様々に具体化することができる。例えばエンド部材としては両方ともサイドパネルに構成したり、両方ともロッカー等の縦長収家具に構成したりすることも可能である。
【００５３】
机天板の下方にはキャビネット類を配置せず、全体にわたってオープンの状態のままでもよい（この場合は、机天板の下方の空間は、下部遮蔽手段として下部仕切壁（或いは幕板）を設けることになり、この下部仕切り壁に下部配線空間を形成すれば良い）。下部配線区空間はダクト構造にすることも可能である。
【図面の簡単な説明】
【００５４】
【図１】本実施形態に係る間仕切装置の斜視図である。
【図２】使用状態の平面図である。
【図３】間仕切装置の正面図である。
【図４】間仕切装置の分離正面図である。
【図５】図３のＶ−Ｖ視断面図である。
【図６】図３のVI−VI視断面図である。
【図７】図３の VII-VII視断面図である。
【図８】（Ａ）は図３の VIIIA-VIIIA視断面図、（Ｂ）は（Ａ）のＢ−Ｂ視断面図である。
【図９】第２実施形態を示す平断面図である。
【図１０】第３実施形態を示す図で、（Ａ）は図８（Ａ）と同様の部分の縦断側面図、（Ｂ）は（Ａ）のＢ−Ｂ視断面図である。
【符号の説明】
【００５５】
１  間仕切装置
２  上部仕切壁部
２ａ  フロントパネル
３  サイドパネル
４  縦長家具の一例としてのロッカー
５  机天板
６  着座用空間
７  キャビネット
１０  ベッド
２０  上部配線空間
２１  コネクタ
２８  アンダーパネル
２９  下部配線空間
３２  配線穴
【図１】
2005218701.tif 000003
【図２】
2005218701.tif 000004
【図３】
2005218701.tif 000005
【図４】
2005218701.tif 000006
【図５】
2005218701.tif 000007
【図６】
2005218701.tif 000008
【図７】
2005218701.tif 000009
【図８】
2005218701.tif 000010
【図９】
2005218701.tif 000011
【図１０】
2005218701.tif 000012